【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
マルチレイヤビデオデータを復号する方法であって、
第１のビューにおける第１の時間的位置にあるビデオデータの第１のブロックに対して、前記第１のブロックをコーディングするための１つまたは複数の参照ピクチャリストが、第２の異なる時間的位置にある、前記第１のブロックと同じビューに関連する少なくとも１つの時間的参照ピクチャを含むかどうかを決定することと、
前記第１のブロックをコーディングするための前記１つまたは複数の参照ピクチャリストが、少なくとも１つの時間的参照ピクチャを含まないという決定に基づき、ビュー間残差予測処理をディセーブルにすることと、ここで、前記ビュー間残差予測処理は、前記第１のビューとは異なる第２のビューに関連する第２の残差データに対して、前記第１のビューに関連する前記第１のブロックについての第１の残差データをコーディングすることを含み、前記第１の残差データは、前記第１のブロックのサンプルと、前記第１のブロックの時間的動きベクトルによって識別される時間的参照ブロックの対応するサンプルとの差を示し、前記第２の残差データは、前記第１のブロックの視差ベクトルによって識別される視差参照ブロックのサンプルと、前記時間的動きベクトルおよび前記視差動きベクトルによって識別される時間的視差参照ブロックの対応するサンプルとの差を示す、
前記１つまたは複数の参照ピクチャリスト中のビュー間参照ピクチャのビデオデータの少なくとも１つの参照ブロックに対してビデオデータの前記第１のブロックを復号することと、
を備える、方法。
【請求項２】
マルチレイヤビデオデータを符号化する方法であって、
第１のビューにおける第１の時間的位置にある、ビデオデータの第１のブロックに対して、前記第１のブロックをコーディングするための１つまたは複数の参照ピクチャリストが、第２の異なる時間的位置にある、前記第１のブロックと同じビューに関連する少なくとも１つの時間的参照ピクチャを含むかどうかを決定することと、
前記第１のブロックをコーディングするための前記１つまたは複数の参照ピクチャリストが、少なくとも１つの時間的参照ピクチャを含まないという決定に基づき、ビュー間残差予測処理をディセーブルにすることと、ここで、前記ビュー間残差予測処理は、前記第１のビューとは異なる第２のビューに関連する第２の残差データに対して、前記第１のビューに関連する前記第１のブロックについての第１の残差データをコーディングすることを含み、前記第１の残差データは、前記第１のブロックのサンプルと、前記第１のブロックの時間的動きベクトルによって識別される時間的参照ブロックの対応するサンプルとの差を示し、前記第２の残差データは、前記第１のブロックの視差ベクトルによって識別される視差参照ブロックのサンプルと、前記時間的動きベクトルおよび前記視差動きベクトルによって識別される時間的視差参照ブロックの対応するサンプルとの差を示す、
前記１つまたは複数の参照ピクチャリスト中の参照ピクチャのビデオデータの少なくとも１つの参照ブロックに対してビデオデータの前記第１のブロックを符号化することと、
を備える、方法。
【請求項３】
前記ビュー間残差予測処理をディセーブルにすることは、ビデオデータの前記ブロックに対する前記ビュー間残差予測処理のための重み付けファクタのコーディングをスキップすることを備える、請求項１または２に記載の方法。
【請求項４】
ビデオデータの前記ブロックはビデオデータのコーディングユニットを備え、前記重み付けファクタのコーディングをスキップすることは、前記コーディングユニットおよび前記コーディングユニットを含むピクチャの各他のコーディングユニットに対する前記重み付けファクタのコーディングをスキップすることを備える、請求項３に記載の方法。
【請求項５】
前記第１のブロックをコーディングすることは、前記第１のブロックを復号することを備え、前記重み付けファクタのコーディングをスキップするときに前記重み付けファクタが０であると自動的に決定することをさらに備える、請求項３に記載の方法。
【請求項６】
前記１つまたは複数の参照ピクチャリストが前記第２の時間的位置の少なくとも１つの参照ピクチャを含むかどうかを決定することは、前記第１のブロックを含むピクチャがランダムアクセスピクチャかどうかを決定することを備え、前記第１のブロックを含む前記ピクチャがランダムアクセスピクチャであるとき、前記１つまたは複数の参照ピクチャリストは、前記第２の時間的位置の少なくとも１つの参照ピクチャを含まない、請求項１または２に記載の方法。
【請求項７】
前記第１のブロックをコーディングするための前記１つまたは複数の参照ピクチャリストが、前記第２の時間的位置にある少なくとも１つの参照ピクチャを含むという決定に基づき、前記ビュー間残差予測処理をディセーブルにしないこと、をさらに備え、
前記少なくとも１つの参照ブロックに対して前記第１のブロックをコーディングすることは、前記ビュー間残差予測処理によって前記第１のブロックをコーディングすることを備え、
前記第１のブロックについての前記残差データを前記ビュー間残差予測処理によってコーディングすることは、
前記第１のブロックの時間的動きベクトルによって示される時間的参照ブロックを決定することと、
前記第１のブロックの視差ベクトルによって示される視差参照ブロックを決定することと、
前記時間的動きベクトルと前記視差ベクトルとの組合せによって示される時間的視差参照ブロックを決定することと、
前記時間的参照ブロック、前記視差参照ブロック、および前記時間的視差参照ブロックを使用して、前記第１のブロックについての前記残差データをコーディングすることと、
を備える、請求項１または２に記載の方法。
【請求項８】
前記１つまたは複数の参照ピクチャリストは、第１の参照ピクチャリストと第２の参照ピクチャリストとを備え、前記１つまたは複数の参照ピクチャリストが前記第２の時間的位置にある前記少なくとも１つの参照ピクチャを含むかどうかを決定することは、前記第１の参照ピクチャリストと前記第２の参照ピクチャリストのいずれかが前記第２の時間的位置にある前記少なくとも１つの参照ピクチャを含むかどうかを決定することを備える、請求項１または２に記載の方法。
【請求項９】
マルチレイヤビデオデータを復号するための装置であって、
第１の時間的位置にあるビデオデータの第１のブロックに対して、前記第１のブロックをコーディングするための１つまたは複数の参照ピクチャリストが、第２の異なる時間的位置にある、前記第１のブロックと同じビューに関連する少なくとも１つの時間的参照ピクチャを含むかどうかを決定するための手段と、
前記第１のブロックをコーディングするための前記１つまたは複数の参照ピクチャリストが、少なくとも１つの時間的参照ピクチャを含まないという決定に基づき、ビュー間残差予測処理をディセーブルにするための手段と、ここで、前記ビュー間残差予測処理は、前記第１のビューとは異なる第２のビューに関連する第２の残差データに対して、前記第１のビューに関連する前記第１のブロックについての第１の残差データをコーディングすることを含み、前記第１の残差データは、前記第１のブロックのサンプルと、前記第１のブロックの時間的動きベクトルによって識別される時間的参照ブロックの対応するサンプルとの差を示し、前記第２の残差データは、前記第１のブロックの視差ベクトルによって識別される視差参照ブロックのサンプルと、前記時間的動きベクトルおよび前記視差動きベクトルによって識別される時間的視差参照ブロックの対応するサンプルとの差を示す、
前記１つまたは複数の参照ピクチャリスト中の参照ピクチャのビデオデータの少なくとも１つの参照ブロックに対してビデオデータの前記第１のブロックを復号するための手段と、
を備える、装置。
【請求項１０】
マルチレイヤビデオデータを符号化するための装置であって、
第１の時間的位置にあるビデオデータの第１のブロックに対して、前記第１のブロックをコーディングするための１つまたは複数の参照ピクチャリストが、第２の異なる時間的位置にある、前記第１のブロックと同じビューに関連する少なくとも１つの時間的参照ピクチャを含むかどうかを決定するための手段と、
前記第１のブロックをコーディングするための前記１つまたは複数の参照ピクチャリストが、少なくとも１つの時間的参照ピクチャを含まないという決定に基づき、ビュー間残差予測処理をディセーブルにするための手段と、ここで、前記ビュー間残差予測処理は、前記第１のビューとは異なる第２のビューに関連する第２の残差データに対して、前記第１のビューに関連する前記第１のブロックについての第１の残差データをコーディングすることを含み、前記第１の残差データは、前記第１のブロックのサンプルと、前記第１のブロックの時間的動きベクトルによって識別される時間的参照ブロックの対応するサンプルとの差を示し、前記第２の残差データは、前記第１のブロックの視差ベクトルによって識別される視差参照ブロックのサンプルと、前記時間的動きベクトルおよび前記視差動きベクトルによって識別される時間的視差参照ブロックの対応するサンプルとの差を示す、
前記１つまたは複数の参照ピクチャリスト中の参照ピクチャのビデオデータの少なくとも１つの参照ブロックに対してビデオデータの前記第１のブロックを符号化するための手段と、
を備える、装置。
【請求項１１】
前記第１のブロックをコーディングするための前記１つまたは複数の参照ピクチャリストが前記第２の時間的位置にある少なくとも１つの参照ピクチャを含むという決定に基づき、前記ビュー間残差予測処理をディセーブルにしない手段、をさらに備え、
前記少なくとも１つの参照ブロックに対して前記第１のブロックを復号するための前記手段は、前記ビュー間残差予測処理によって前記第１のブロックについての前記残差データをコーディングするための手段を備え、前記ビュー間残差予測処理によって前記第１のブロックについての前記残差データをコーディングするための前記手段は、
前記第１のブロックの時間的動きベクトルによって示される時間的参照ブロックを決定するための手段と、
前記第１のブロックの視差ベクトルによって示される視差参照ブロックを決定するための手段と、
前記時間的動きベクトルと前記視差ベクトルとの組合せによって示される時間的視差参照ブロックを決定するための手段と、
前記時間的参照ブロック、前記視差参照ブロック、および前記時間的視差参照ブロックを使用して、前記第１のブロックについての前記残差データを復号するための手段と、
を備える、請求項９に記載の装置。
【請求項１２】
前記第１のブロックをコーディングするための前記１つまたは複数の参照ピクチャリストが、前記第２の時間的位置にある少なくとも１つの参照ピクチャを含むという決定に基づき、前記ビュー間残差予測処理をディセーブルにしない手段、をさらに備え、
前記少なくとも１つの参照ブロックに対して前記第１のブロックを符号化するための前記手段は、前記ビュー間残差予測処理によって前記第１のブロックについての前記残差データをコーディングするための手段を備え、前記ビュー間残差予測処理によって前記第１のブロックについての前記残差データをコーディングするための前記手段は、
前記第１のブロックの時間的動きベクトルによって示される時間的参照ブロックを決定するための手段と、
前記第１のブロックの視差ベクトルによって示される視差参照ブロックを決定するための手段と、
前記時間的動きベクトルと前記視差ベクトルとの組合せによって示される時間的視差参照ブロックを決定するための手段と、
前記時間的参照ブロック、前記視差参照ブロック、および前記時間的視差参照ブロックを使用して、前記第１のブロックについての前記残差データを符号化するための手段と、
を備える、請求項１０に記載の装置。
【請求項１３】
前記第１のブロックについての前記残差データを復号するための前記手段は、
符号化されたビットストリームから、前記第１のブロックについての最終的な残差を示すデータを取得するための手段と、
前記視差参照ブロックと前記時間的視差参照ブロックとの差に基づいて、残差予測子を決定するための手段と、
前記最終的な残差、前記残差予測子、および前記時間的参照ブロックの組合せに基づいて、前記第１のブロックを再構築するための手段と
を備える、請求項１１に記載の装置。
【請求項１４】
前記第１のブロックについての前記残差データを符号化するための前記手段は、
前記第１のブロックと時間的参照ブロックとの差を備える第１の残差を決定するための手段と、
前記視差参照ブロックと前記時間的視差参照ブロックとの差を備える残差予測子を決定するための手段と、
前記第１の残差と前記残差予測子との差に基づいて、最終的な残差を決定するための手段と、
前記最終的な残差を示すデータをビットストリーム中に符号化するための手段と
を備える、請求項１２に記載の装置。
【請求項１５】
実行されると、１つまたは複数のプロセッサに、請求項１から請求項８のうちのいずれかの１つの方法を実行させる命令を記憶した、非一時的コンピュータ可読媒体。